(57)【要約】【課題】床暖房装置のタイマー運転が実行されたときにかかる電気代を使用者に認識させることができる床暖房用表示装置を提供する。【解決手段】床暖房ユニット６０Ａ、６０Ｂのタイマー設定操作が操作部９１２に対して為された場合に、床暖房ユニット６０Ａ、６０Ｂのタイマー運転を実行したときにかかる電気代の予測値がそのタイマー設定操作の設定内容に基づいて求められ、その求められた電気代の予測値が表示パネル９３に表示される。従って、タイマー運転の実行前であるタイマー運転の設定時に、床暖房ユニット６０Ａ、６０Ｂのタイマー運転が実行されたときにかかる電気代を使用者に認識させることができる。これにより、使用者は、電気代を節約するように好みの床暖房を実行するタイマー運転を容易に設定することが可能である。【選択図】図２
2015094569.tif 000002
【特許請求の範囲】
【請求項１】
使用者に操作される操作部（９１２）と、
画像を表示する表示部（９３）と、
床暖房装置（４２、６０Ａ、６０Ｂ）のタイマー運転を設定するタイマー設定操作が前記操作部に対して為された場合に、そのタイマー設定操作の設定内容に基づき、前記タイマー運転を実行したときにかかる電気代の予測値を求める電気代予測手段（Ｓ１０１、Ｓ１０２）と、
前記電気代予測手段が求めた電気代の予測値を前記表示部に表示させる表示制御手段（Ｓ１０３）とを備えていることを特徴とする床暖房用表示装置。
【請求項２】
前記タイマー設定操作は、前記床暖房装置を運転させる運転時間帯と床を加熱する熱交換器（６３ａ、６３ｂ）に循環する熱交換媒体の目標温度（Ｔ１ｔ、Ｔ２ｔ）とを設定する設定操作であり、
前記電気代予測手段は、前記タイマー設定操作が為された場合に、前記タイマー設定操作の設定内容である前記熱交換媒体の目標温度と前記運転時間帯とに基づき、予め定められた関係から前記電気代の予測値を求めることを特徴とする請求項１に記載の床暖房用表示装置。
【請求項３】
前記表示制御手段は、前記電気代の予測値と共に、前記熱交換媒体の目標温度を時系列に沿って示すグラフで前記タイマー設定操作の設定内容を前記表示部に表示させることを特徴とする請求項２に記載の床暖房用表示装置。
【請求項４】
前記タイマー設定操作において前記熱交換媒体の目標温度は、前記運転時間帯に含まれる単位時間帯毎に設定され、
前記予め定められた関係は、前記電気代の予測値と前記熱交換媒体の目標温度との関係が前記単位時間帯毎に定められたものであり、
前記電気代予測手段は、前記単位時間帯毎に設定された前記熱交換媒体の目標温度に基づき前記予め定められた関係から、前記単位時間帯毎の前記電気代の予測値である単位電気代予測値を算出し、その単位電気代予測値を前記運転時間帯全体にわたって積算することによりその運転時間帯での前記電気代の予測値を求めることを特徴とする請求項２または３に記載の床暖房用表示装置。
【請求項５】
前記床暖房装置に床暖房を行わせる複数の床暖房パターンを予め記憶している記憶部（９６）を備え、
前記記憶部は、前記床暖房装置が前記床暖房パターンで運転されたときにかかると予測されるパターン運転電気代を、前記複数の床暖房パターンの各々に関連付けて記憶しており、
前記タイマー設定操作は、前記複数の床暖房パターンの中の何れかを選択すると共にその選択された床暖房パターンで前記タイマー運転を設定する設定操作であり、
前記電気代予測手段は、前記タイマー設定操作が為された場合に、前記タイマー設定操作の設定内容である前記選択された床暖房パターンに基づき、その選択された床暖房パターンに関連付けられている前記パターン運転電気代を、前記タイマー運転を実行したときにかかる前記電気代の予測値として求めることを特徴とする請求項１に記載の床暖房用表示装置。
【請求項６】
前記床暖房パターンは、床を加熱する熱交換器（６３ａ、６３ｂ）に循環する熱交換媒体の目標温度（Ｔ１ｔ、Ｔ２ｔ）を時系列に沿って定めたものであり、
前記表示制御手段は、前記電気代の予測値と共に、前記熱交換媒体の目標温度を時系列に沿って示すグラフで前記タイマー設定操作の設定内容を前記表示部に表示させることを特徴とする請求項５に記載の床暖房用表示装置。
【発明の詳細な説明】
【技術分野】
【０００１】
本発明は、床暖房に関する情報を表示する床暖房用表示装置に関するものである。
【背景技術】
【０００２】
床暖房装置は、タイマー運転機能付きのものが一般的である。床暖房装置のタイマー運転とは、運転開始時刻と運転停止時刻とで定義される運転時間帯が使用者によって予め設定されており、その設定された運転時間帯に床暖房装置の暖房運転が行われることである。
【０００３】
特許文献１には、床暖房装置のタイマー運転を設定する機能を備えた床暖房装置用リモコンが記載されている。この特許文献１の床暖房装置用リモコンは、床暖房用表示装置に関する従来技術の１つである。
【０００４】
この床暖房装置用リモコンでは、使用者は、暖房運転時間と温水温度とを設定することにより床暖房装置のタイマー運転を設定する。具体的には、床暖房装置用リモコンは、設定状態を表示する表示部と使用者によって設定操作されるスイッチ部とを備えており、使用者は、床暖房装置用リモコンの表示部を見ながらスイッチ部を操作して任意にタイマー運転を設定することができる。
【先行技術文献】
【特許文献】
【０００５】
【特許文献１】特開２０００−２４０９５２号公報
【発明の概要】
【発明が解決しようとする課題】
【０００６】
しかし、特許文献１の床暖房装置用リモコンが用いられてタイマー運転が使用者によって設定された場合、その設定されたタイマー運転が実行されたときにかかると予測される電気代は、表示部に表示されない。そのため、使用者は、実際にタイマー運転が実行された後に、その床暖房にかかった電気代を把握するしかなかった。従って、例えば使用者は、快適な床暖房を行いつつ電気代を節約するようにタイマー運転を設定することが困難であった。
【０００７】
本発明は上記点に鑑みて、床暖房装置のタイマー運転が実行されたときにかかる電気代を使用者に認識させることができる床暖房用表示装置を提供することを目的とする。
【課題を解決するための手段】
【０００８】
上記目的を達成するため、請求項１に記載の発明では、使用者に操作される操作部（９１２）と、
画像を表示する表示部（９３）と、
床暖房装置（４２、６０Ａ、６０Ｂ）のタイマー運転を設定するタイマー設定操作が操作部に対して為された場合に、そのタイマー設定操作の設定内容に基づき、タイマー運転を実行したときにかかる電気代の予測値を求める電気代予測手段（Ｓ１０１、Ｓ１０２）と、
電気代予測手段が求めた電気代の予測値を表示部に表示させる表示制御手段（Ｓ１０３）とを備えていることを特徴とする。
【０００９】
上述の発明によれば、床暖房装置のタイマー設定操作が操作部に対して為された場合に、タイマー運転を実行したときにかかる電気代の予測値がそのタイマー設定操作の設定内容に基づいて求められ、その求められた電気代の予測値が表示部に表示されるので、床暖房装置のタイマー運転が実行されたときにかかる電気代を使用者に認識させることができる。
【００１０】
なお、この欄および特許請求の範囲で記載した括弧内の各符号は、後述する実施形態に記載した各符号に対応したものである。
【図面の簡単な説明】
【００１１】
【図１】第１実施形態に係る貯湯式給湯装置８の全体構成を示す模式図である。
【図２】図１の貯湯式給湯装置８が有する暖房リモコン９０ａの正面図である。
【図３】第１実施形態において暖房リモコン９０ａの内部構成を示すブロック図である。
【図４】図１の暖房リモコン９０ａの暖房リモコン制御部９４が行う制御処理を示したフローチャートである。
【図５】第２実施形態において暖房リモコン９０ａの内部構成を示すブロック図である。
【図６】第２実施形態において表示パネル９３の表示例を示した図である。
【図７】第２実施形態において、複数の床暖房パターンの各々とパターン運転電気代とを関連付けた電気代対応表ＭＡＰｐｔｎを示した図である。
【発明を実施するための形態】
【００１２】
以下、本発明の実施形態について図に基づいて説明する。なお、以下の各実施形態相互において、互いに同一もしくは均等である部分には、図中、同一符号を付してある。
【００１３】
（第１実施形態）
図１に、本発明の第１実施形態に係る貯湯式給湯装置８の全体構成を示す。図１に示す貯湯式給湯装置８は、貯湯タンク１０内に貯えられた給湯用水を台所、洗面所、風呂などへの給湯機能に用いるとともに、貯えられた給湯用水を一次側の熱源として、二次側に流通する被加熱流体を加熱する熱交換器３０を備え、浴水の追い焚き機能や暖房機能に利用したものである。
【００１４】
先ず、給湯機能は、図１に示すように、給湯用水を内部に貯える貯湯タンク１０と、この貯湯タンク１０内の最下部１０ｃから低温の給湯用水を取り出し、高温にして貯湯タンク１０内の最上部１０ｂに送る給湯用水加熱回路２１と、この給湯用水加熱回路２１を流れる給湯用水を加熱する加熱装置としてのヒートポンプ熱源機２０と、貯湯タンク１０内に水道水を給水する給水用配管１２と、貯湯タンク１０内の給湯用水を導出する給湯管１３と、給湯用配管１４、１４ａと、貯湯式給湯装置８の作動を制御する制御手段である熱源制御部４１及び給湯制御部４２とから構成されている。
【００１５】
一方、追い焚き機能および暖房機能においては、貯湯タンク１０内の給湯用水が一次側に流通する一次側回路３１と、二次側に被加熱流体が流通する二回路の二次側回路３２、３３からなる熱交換器３０と、浴水追い焚き装置８０と、暖房装置である床暖房ユニット６０Ａ、６０Ｂ、暖房ユニット７０Ａ、７０Ｂと、これらを接続する追い焚き回路３４、３５および暖房回路３６、３７と、給湯制御部４２とから構成されている。
【００１６】
なお、本実施形態では、二回路の二次側回路３２、３３のうち、一方を追い焚き用熱交換部３２と称し、他方を暖房用熱交換部３３と称している。また、床暖房ユニット６０Ａ、６０Ｂおよび暖房ユニット７０Ａ、７０Ｂを総称して暖房装置６０Ａ、６０Ｂ、７０Ａ、７０Ｂと呼ぶ。また、床暖房ユニット６０Ａ、６０Ｂおよびこれを制御する給湯制御部４２は本発明の床暖房装置に対応する。
【００１７】
次に、給湯機能を構成する構成部品についてより具体的に説明すると、貯湯タンク１０は、縦長形状の耐食性に優れた金属製（例えば、ステンレス製）の容器で形成され、外周部に図示しない断熱材が配設され、高温の給湯用水を長時間に渡って保温できるようになっている。また、貯湯タンク１０内の底面には給水口１０ａが設けられ、この給水口１０ａに給水経路である給水用配管１２が接続されている。
【００１８】
給水用配管１２には、給水温度を検出する給水サーミスタ５１が設けられており、給水用配管１２内の温度情報を給湯制御部４２に出力するようになっている。
給水用配管１２には、開閉弁５１ａおよび流量カウンタ５１ｂが設けられている。開閉弁５１ａは、給湯制御部４２により制御されて給水用配管１２を開閉する。流量カウンタ５１ｂは、給水用配管１２を流れる給水量を検出する。流量カウンタ５１ｂによって検出される給水の流量情報は給湯制御部４２に出力されるようになっている。また、給水用配管１２には、給水口１０ａに導入される水道水の水圧を所定圧となるように調節するとともに、断水などにおける湯の逆流を防止する図示しない減圧逆止弁が設けられている。更に、給水用配管１２の下流端は、給湯用混合弁１５およびお湯張り用混合弁１５ａの一方の入口側に繋がれている。
【００１９】
また、貯湯タンク１０の最上部には給湯口１０ｂが設けられ、この給湯口１０ｂには貯湯タンク１０内に貯えられた給湯用水のうち、高温の給湯用水を導出するための給湯経路である給湯管１３が接続されている。尚、この給湯管１３の経路途中には空気逃がし弁１９が配設された排出配管１３ａを接続しており、貯湯タンク１０内の圧力が所定圧以上に上昇した場合には、貯湯タンク１０内の給湯用水を外部に排出して、貯湯タンク１０などにダメージを与えないようになっている。
【００２０】
給湯管１３の下流端には給湯用混合弁１５およびお湯張り用混合弁１５ａが設けられ、これらの下流側には混合湯経路である給湯用配管１４、１４ａが接続されている。また、この給湯用配管１４、１４ａには、供給される給湯用水の湯温を検出する出湯サーミスタ５２、５２ａ、および給湯用配管１４、１４ａ内を流通する給湯用水の流量情報を検出する流量カウンタ５７、５７ａが設けられ、出湯サーミスタ５２、５２ａ、および流量カウンタ５７、５７ａにより検出された温度情報および流量情報を給湯制御部４２に出力するようになっている。
【００２１】
給湯用配管１４、１４ａの下流端は台所、洗面所、浴室などに配置された図示しない給湯水栓やシャワー水栓などに通じており、これらの給湯水栓やシャワー水栓が開弁したときに、使用者が設定した設定温度に調節された給湯用水が出湯される。尚、流量カウンタ５７、５７ａが給湯用配管１４、１４ａ内の給湯用水の流れを検出したときは、給湯水栓やシャワー水栓などのいずれかで給湯用水が使用されていることである。また、一方の給湯用配管１４ａは、浴槽８９内に浴水を湯張りするための給湯用配管であって、湯張り用開閉弁５８、流量カウンタ５７ａおよび逆止弁５９が設けられている。
【００２２】
この湯張り用開閉弁５８は、給湯制御部４２により制御され、給湯用配管１４ａに流れる混合湯を開閉する電磁弁である。流量カウンタ５７ａは、給湯用配管１４ａ内に流れる湯張り流量を検出するものである。そして、逆止弁５９は、浴水追い焚き装置８０内の浴水が給湯用配管１４ａ内に逆流させないための弁である。
【００２３】
尚、湯張り用開閉弁５８を開弁させて浴槽８９に湯張り、差し湯、足し湯をするときは、後述する開閉弁８５も開弁するように制御されるとともに、水圧スイッチ８４により検出された水位レベルが所定レベルに達したとき、湯張り用開閉弁５８および開閉弁８５が閉弁されて設定流量の混合湯が浴槽８９内に湯張りされることになる。また、差し湯、足し湯は、湯張り用流量カウンタ５７ａにより検出された流量情報に基づいて所定の流量の混合湯が出湯されるように制御される。
【００２４】
ところで、給湯用混合弁１５および湯張り用混合弁１５ａは、給湯用配管１４、１４ａに供給する給湯用水の湯温を調節する温度調節弁であり、給湯管１３側と給水用配管１２側との開口面積比を調節することで、給湯用水と水道水との混合比を調節するようにしている。つまり、ここで、使用者が設定した設定温度となるように温度調節されている。
【００２５】
尚、これらの混合弁１５、１５ａは、給湯制御部４２に電気的に接続されており、上記出湯サーミスタ５２、５２ａ、給水サーミスタ５１および後述する貯湯サーミスタ５４により検出される温度情報に基づいて制御される。また、これらの混合弁１５、１５ａは出湯サーミスタ５２、５２ａにより検出される温度情報に基づいてフィードバック制御を行うように制御される。
【００２６】
そして、貯湯タンク１０の外壁面には、給湯用水の貯湯量、もしくは貯湯温度を検出するための水温センサである複数（本例では、５箇所）の貯湯サーミスタ５４が縦方向（タンクの高さ方向）にほぼ等間隔に配置され、貯湯タンク１０内に満たされた給湯用水の各水位レベルでの温度情報を給湯制御部４２に出力するようにしている。
【００２７】
従って、給湯制御部４２は、複数の貯湯サーミスタ５４からの温度情報に基づき、貯湯タンク１０内のうち沸き上げられた高温の給湯用水の位置（すなわち、残湯量）と、貯湯タンク１０内上方の沸き上げられた湯温と、貯湯タンク１０内下方の沸き上げられる前の低温の給湯用水との境界位置を検出することができるとともに、各水位レベルでの給湯用水の湯温が検出できる。尚、複数の貯湯サーミスタ５４のうち、最上部に設けられた貯湯サーミスタ５４は高温の給湯用水を出湯する出湯温度を検出する機能を有している。
【００２８】
次に、貯湯タンク１０内の給湯用水を加熱するヒートポンプ熱源機２０は、例えば、炭酸ガスを冷媒として使用することにより、高圧側の冷媒圧力が冷媒の臨界圧力以上となる超臨界ヒートポンプサイクルを使用している。このヒートポンプサイクルは、周知のように図示しない冷媒圧縮機、給湯用水加熱用の加熱熱交換器、膨張弁、冷媒蒸発器およびアキュムレータなどの冷凍サイクル機能部品より構成されている。ちなみに、冷媒圧縮機は、内蔵する電動モータによって駆動され、アキュムレータより吸引した気相冷媒を臨界圧力以上まで圧縮して吐出する。
【００２９】
加熱熱交換器は、冷媒と給湯用水とを熱交換するもので、例えば、冷媒が流れる冷媒通路と給湯用水が流れる給湯用水通路とが二重管構造に設けられ、且つ冷媒の流れ方向と給湯用水の流れ方向とが対向するように構成された対向流式の加熱熱交換器である。
【００３０】
膨張弁は、加熱熱交換器から流出する冷媒を減圧して冷媒蒸発器に供給する。冷媒蒸発器は、膨張弁で減圧された冷媒を大気との熱交換によって蒸発させる。アキュムレータは、冷媒蒸発器より流出する冷媒を気液分離して、気相冷媒のみ冷媒圧縮機に吸引させるとともに、サイクル中の余剰冷媒を蓄えている。
【００３１】
また、加熱熱交換器の給湯用水通路は、上述した給湯用水加熱回路２１を介して貯湯タンク１０に接続され、図示しない電動ポンプが作動することで、貯湯タンク１０内の給湯用水が循環する。尚、給湯用水加熱回路２１の上流端が貯湯タンク１０の底部１０ｃに接続され、給湯用水加熱回路２１の下流端が貯湯タンク１０の上部１０ｄに接続されている。これにより、加熱熱交換器で冷媒との熱交換により加熱された給湯用水が貯湯タンク１０の上部１０ｄへ送り込まれるため、貯湯タンク１０の上部側から下部側へ向かって順次給湯用水に蓄熱されてゆく。
【００３２】
尚、ヒートポンプ熱源機２０は熱源制御部４１からの制御信号により作動されるとともに、作動状態を熱源制御部４１に出力するようになっている。また、これらの動力源として交流電力を用い、主に料金設定の最も安い深夜時間帯における深夜電力を用いて、貯湯タンク１０内の給湯用水を沸き上げる蓄熱運転を行っているが、昼間時間帯においても給湯用水の湯温が低下してくると沸き上げ運転を行うよう制御される。ちなみに、超臨界ヒートポンプサイクルによれば、一般的なヒートポンプサイクルよりも高温（例えば、８５〜９０℃）の給湯用水を内部に貯えることができる。
【００３３】
次に、追い焚き機能を構成する構成部品についてより具体的に説明する。浴水追い焚き装置８０は、浴槽８９内の浴水を熱交換器３０の二次側回路である追い焚き用熱交換部３２に循環させて浴水を追い焚きする装置であり、往き管８２、戻り管８１およびバイパス管８３から構成された循環回路と、熱交換器３０の追い焚き用熱交換部３２とを接続する追い焚き回路３４、３５とが接続されている。
【００３４】
ちなみに、往き管８２側が追い焚き往き管３４に接続され、戻り管８１側が追い焚き戻り管３５に接続されている。また、往き管８２には、上流側から順に、水圧スイッチ８４、開閉弁８５、第２循環ポンプ８６、浴水温度検出手段としての浴水温度サーミスタ５５、流水スイッチ８７、および追い焚き三方弁８８が設けられている。また、戻り管８１には、下流側に追い焚きサーミスタ５６が設けられている。
【００３５】
水圧スイッチ８４は、浴槽８９内に湯張りされた浴水の湯量、言い換えれば、浴槽８９内の水位レベルを求めるための水圧を検出するセンサである。開閉弁８５は浴水循環回路を開閉する電磁弁であり、第２循環ポンプ８６は浴槽８９内の浴水を追い焚き用熱交換部３２に圧送する電動ポンプである。浴水温度サーミスタ５５は、往き管８２を流通する浴水の湯温を検出する水温センサである。
【００３６】
流水スイッチ８７は、追い焚き三方弁８８側の方向に浴水および後述する給湯用水が流通しているか否かを検出するための流水センサである。この追い焚き三方弁８８は、浴水を追い焚き用熱交換部３２に流通させるか、追い焚き用熱交換部３２を迂回するバイパス管８３のいずれか一方に流通方向を切り換えるための切換弁である。追い焚きサーミスタ５６は、戻り管８１を流通する浴水の湯温を検出する水温センサであり、浴槽８９内に戻される浴水温度となる。
【００３７】
尚、水圧スイッチ８４、流水スイッチ８７、浴水温度サーミスタ５５および追い焚きサーミスタ５６は、それぞれの容積情報、流水情報および温度情報を給湯制御部４２に出力するようにされ、開閉弁８５、第２循環ポンプ８６および追い焚き三方弁８８は給湯制御部４２により制御される。
【００３８】
また、湯張り後に浴槽８９内の浴水の温度を検出するときは、追い焚き三方弁８８をバイパス管８３側に流れ方向を切り換えるとともに、第２循環ポンプ８６を作動させることで、浴槽８９内の浴水が往き管８２、バイパス管８３、戻り管８１、浴槽８９内の順に循環されて浴水温度サーミスタ５５により浴水の湯温を検出するようにしている。
【００３９】
また、追い焚きするときは、追い焚き三方弁８８の流れ方向を追い焚き用熱交換部３２側に切り換えることで、浴槽８９内の浴水が往き管８２、追い焚き用熱交換部３２、戻り管８１、浴槽８９内の順に循環されて、浴水温度サーミスタ５５により検出された浴水の湯温が所定温度になるまで循環させるように制御される。
【００４０】
次に、暖房機能を構成する構成部品についてより具体的に説明する。まず、床暖房ユニット６０Ａ、６０Ｂは、例えば、脱衣所や台所などの床に設置され、その床を構成する床パネル６１ａ、６１ｂ内の配管６３ａ、６３ｂにブラインを流通させて被加熱物である床パネル６１ａ、６１ｂを暖める暖房装置である。すなわち、その配管６３ａ、６３ｂは、床暖房ユニット６０Ａ、６０Ｂのそれぞれにおいて、床パネル６１ａ、６１ｂを加熱する熱交換器として機能し、ブラインはその熱交換器としての配管６３ａ、６３ｂを循環する熱交換媒体である。
【００４１】
そして、床暖房ユニット６０Ａ、６０Ｂは、配管６３ａ、６３ｂに流通するブラインを開閉する熱動弁６２ａ、６２ｂと、配管６３ａ、６３ｂから流出したブラインの湯温すなわち床パネル６１ａ、６１ｂの出口側湯温を検出する出口湯温センサ５３ｃ、５３ｄとから構成されている。なお、床パネル６１ａの出口側湯温を出口側湯温Ｔ１と呼び、床パネル６１ｂの出口側湯温を出口側湯温Ｔ２と呼ぶものとする。
【００４２】
また、暖房ユニット７０Ａ、７０Ｂは、例えば、浴室内や洗面室内の被加熱流体である室内の空気を吸い込んで放熱器７１ａ、７１ｂで加熱させて、温風を吹き出して室内を暖房する暖房装置である。そして、暖房ユニット７０Ａ、７０Ｂは、放熱器７１ａ、７１ｂ、送風機７２ａ、７２ｂ、放熱器７１ａ、７１ｂに流通するブラインを開閉する開閉弁７３ａ、７３ｂ、吸い込み温度を検出する図示しない吸い込み温度センサ、および、吸い込み温度センサにより検出された吸い込み温度に基づいて送風機７２ａ、７２ｂと開閉弁７３ａ、７３ｂとを制御する図示しない暖房制御部などから構成されている。
【００４３】
暖房回路３６、３７は、暖房用熱交換部３３で熱交換されたブラインを床暖房ユニット６０Ａ、６０Ｂや暖房ユニット７０Ａ、７０Ｂに流通させる循環回路であり、３６が暖房往き管であり、３７が暖房戻り管である。そして、暖房回路３６、３７には、バイパス通路３６ａ、二次側循環手段としての第３循環ポンプ３８、供給温度検出手段としての供給温度サーミスタ５３ａおよび戻り温度検出手段としての戻り温度サーミスタ５３ｂなどが設けられている。尚、バイパス通路３６ａは、熱動弁６２や開閉弁７３が全て閉弁したときに床暖房ユニット６０Ａ、６０Ｂや暖房ユニット７０Ａ、７０Ｂを迂回するバイパス回路である。
【００４４】
第３循環ポンプ３８は、ブラインを暖房用熱交換部３３から床暖房ユニット６０Ａ、６０Ｂや暖房ユニット７０Ａ、７０Ｂに流通させる圧送手段であり、床暖房ユニット６０Ａ、６０Ｂや暖房ユニット７０Ａ、７０Ｂの使用台数に基づいて、給湯制御部４２により回転数が制御される。そして、供給温度サーミスタ５３ａは暖房用熱交換部３３を流通して熱交換後のブラインの水温を検出する水温センサであり、戻り温度サーミスタ５３ｂは床暖房ユニット６０Ａ、６０Ｂや暖房ユニット７０Ａ、７０Ｂを流通して熱交換後のブラインの水温を検出する水温センサであり、いずれのサーミスタも検出された温度情報を給湯制御部４２に出力するようになっている。
【００４５】
次に、熱交換器３０は、加熱側である一次側が１回路で構成され、加熱される側である二次側が複数の回路で構成された対向流式の熱交換器である。具体的には、図１に示すように、貯湯タンク１０内の貯えられた給湯用水が流通する一次側回路３１と浴水やブラインが流通する複数個（本実施形態では二つ）の二次側回路３２、３３から構成されている。
【００４６】
本実施形態の貯湯式給湯装置８では、図１に示すように、上方に配置した二次側回路３２を追い焚き用熱交換部３２と称して浴水追い焚き装置８０に接続し、下方に配置した二次側回路３３を暖房用熱交換部３３と称して、暖房装置である床暖房ユニット６０Ａ、６０Ｂおよび暖房ユニット７０Ａ、７０Ｂに接続している。
【００４７】
そして、熱交換器３０は、図１に示すように、一次側回路３１に貯湯タンク１０内の貯えられた給湯用水が流通するように１次側循環回路が往き管１６、戻り管１７および第１循環ポンプ１８などから構成されている。この往き管１６は、上流端が貯湯タンク１０の上方部１０ｅに接続され、下流端が一次側回路３１の流入部に接続されている。
【００４８】
また、戻し管１７は、上流端が一次側回路３１の流出側に接続され、下流端が貯湯タンク１０の下方部１０ｆに接続されている。第１循環ポンプ１８は、戻し管１７の中途に配置されており、貯湯タンク１０内の給湯用水を一次側回路３１に流通させるポンプである。尚、この第１循環ポンプ１８は、上述した追い焚きサーミスタ５６や供給温度サーミスタ５３ａにより検出された温度情報に基づいて回転数が制御されるように給湯制御部４２に電気的に接続されている。
【００４９】
一方、追い焚き用熱交換部３２は、その流入部が追い焚き戻り管３５に接続され、その流出部が追い焚き往き管３４に接続されて、一次側回路３１の流れ方向と対向する方向に浴水が流れることになる。暖房用熱交換部３３においても、同じように、その流入部と流出部とが暖房回路３６、３７に接続されて一次側回路３１の流れ方向と対向する方向にブラインが流れることになる。これにより、熱交換器３０は、図１に矢印で示すように、対向流式の熱交換器を形成している。
【００５０】
次に、給湯制御部４２は、マイクロコンピュータを主体として構成され、内蔵のＲＯＭには、予め設定された制御プログラムが設けられている。給湯制御部４２は、各サーミスタ５１〜５６からの温度情報、各流量カウンタ５７、５７ａからの流量情報、暖房リモコン９０ａ、台所リモコン９０ｂ、風呂リモコン９０ｃのそれぞれの操作スイッチからの操作信号などに基づいて、給湯管１３、給湯用配管１４、１４ａ、浴水追い焚き装置８０、暖房回路３６、３７および戻り管１７内の各種アクチュエータ類を制御するように構成されている。
【００５１】
また、熱源制御部４１は、給湯制御部４２と同じように、マイクロコンピュータを主体として構成され、内蔵のＲＯＭには、予め設定された制御プログラムが設けられており、図示しない各種サーミスタからの温度情報などに基づいてヒートポンプ熱源機２０内のアクチュエータ類を制御する。この熱源制御部４１では、加熱熱交換器で加熱された給湯用水の湯温を一定温度に保つために、加熱後の給湯用水の温度を検出する貯湯サーミスタ（最上部）５４の検出温度に基づいて電動ポンプの回転数制御を行っている。また、熱源制御部４１は、給湯制御部４２と通信可能に接続されており、例えば、貯湯タンク１０内の給湯用水を加熱するためのスイッチ操作が台所リモコン９０ｂで為された場合には、その台所リモコン９０ｂからの操作信号は給湯制御部４２に入り、給湯用水の加熱を指令する信号は給湯制御部４２から熱源制御部４１へ出力される。
【００５２】
暖房リモコン９０ａは、床暖房ユニット６０Ａ、６０Ｂ、および暖房ユニット７０Ａ、７０Ｂの運転開始およびその停止を個別に遠隔操作するためのものであって、床暖房に関する情報を表示する床暖房用表示装置としての機能を備えている。この暖房リモコン９０ａは、暖房リモコン９０ａの正面図である図２に示すように、４つの選択スイッチ９１ａ、９１ｂ、９１ｃ、９１ｄ、決定スイッチ９２、および表示パネル９３を備えている。
【００５３】
暖房リモコン９０ａにおいて、この選択スイッチ９１ａ、９１ｂ、９１ｃ、９１ｄおよび決定スイッチ９２は、使用者すなわちユーザに操作される操作部９１２を構成し、表示パネル９３は例えば液晶表示装置であり、文字や図形を含む画像を表示する表示部９３を構成している。また、暖房リモコン９０ａのブロック図である図３に示すように、暖房リモコン９０ａは、電子制御装置である暖房リモコン制御部９４を備えている。この暖房リモコン制御部９４は、例えば所定のプログラムに従って、操作部９１２からの操作信号を受け取ると共に表示パネル９３へ制御信号を出力して表示パネル９３に画像を表示させる。また、操作部９１２からの操作信号に基づいた暖房装置６０Ａ、６０Ｂ、７０Ａ、７０Ｂの動作を指令する指令信号を給湯制御部４２に出力する。また、後述の図４のフローチャートに示す制御処理を実行する。
【００５４】
図１に示す台所リモコン９０ｂは、熱源制御部４１を制御して貯湯タンク１０内の給湯用水を加熱するための運転スイッチ、および浴槽８９内に湯張りをするための操作スイッチなどを備えている。風呂リモコン９０ｃは、浴槽８９内の浴水を追い焚きするための追い焚きスイッチ等を備えている。
【００５５】
次に、以上の構成による貯湯式給湯装置の作動概要について説明する。まず、台所リモコン９０ｂの運転スイッチがオンされると（例えば、深夜時間帯に達すると）、図１に示す熱源制御部４１によりヒートポンプ熱源機２０内のヒートポンプサイクル部品と循環ポンプなどのアクチュエータ類を制御させて貯湯タンク１０内の給湯用水を加熱して高温（例えば８５℃）の給湯用水が貯えられる。
【００５６】
そして、貯湯タンク１０内に貯えられた給湯用水が台所、洗面所、浴室などへ給湯の用途に供されるとともに、熱交換器３０の一次側回路３１に貯えられた高温の給湯用水を流通させて、追い焚き用熱交換部３２を流通する浴水、および暖房用熱交換部３３を流通するブラインを加熱させて追い焚き機能および暖房機能の用途に供するものである。
【００５７】
まず、浴水を追い焚きする作動について説明する。風呂リモコン９０ｃの追い焚きスイッチを操作しておくと、所定時間毎に浴水温度を検出して、その浴水温度が追い焚き設定温度に未達であれば浴水を加熱するように作動する。つまり、給湯制御部４２により、所定時間後に追い焚き三方弁８８、開閉弁８５、第２循環ポンプ８６が作動して浴槽８９内の浴水を往き管８２、バイパス管８３、戻り管８１の順に循環させる。
【００５８】
このときに、浴水温度サーミスタ５５により浴水温を検出する。検出された浴水温が追い焚き設定温度以下であると、追い焚き三方弁８８の流れ方向を追い焚き用熱交換部３２側に切り換えられて浴水を追い焚き用熱交換部３２に流通させる。これにより、第１循環ポンプ１８が運転され、給湯用水が一次側回路３１に流通されて浴水が給湯用水熱エネルギを受けて加熱される。また、浴水と熱交換された給湯用水は貯湯タンク１０内に戻される。
【００５９】
そして、浴水温が設定温度に達すると、追い焚き三方弁８８の流れ方向がバイパス管８３側に切り換えられるとともに、開閉弁８５が閉弁、第２循環ポンプ８６および第１ポンプ１８が停止する。これにより、貯湯タンク１０内の給湯用水を加熱元として浴水が追い焚き設定温度を維持するように保温されるものである。
【００６０】
次に、床暖房ユニット６０Ａ、６０Ｂ、暖房ユニット７０Ａ、７０Ｂを運転したときの暖房装置の作動について説明する。
【００６１】
給湯制御部４２は、床暖房ユニット６０Ａの暖房運転を開始するときには、熱動弁６２ａを開弁すると共に、第３循環ポンプ３８を作動させる。これにより、配管６３ａに加熱されたブラインが流通する。床暖房ユニット６０Ｂもこれと同様に作動する。
【００６２】
また、給湯制御部４２は、暖房ユニット７０Ａの暖房運転を開始するときには、開閉弁７３ａを開弁し、第３循環ポンプ３８を作動させると共に、送風機７２ａを作動させる。これにより、加熱されたブラインが放熱器７１ａに流通され、送風機７２ａにより送風される室内空気が放熱器７１ａで加熱される。暖房ユニット７０Ｂもこれと同様に作動する。
【００６３】
また、上記の第３循環ポンプ３８の作動により暖房用熱交換部３３にブラインが流通する一方で、第１循環ポンプ１８の作動によって貯湯タンク１０内の高温の給湯用水が一次側回路３１に流通される。これにより、ブラインが給湯用水の熱エネルギを受けて加熱される。そのブラインと熱交換された給湯用水は貯湯タンク１０内に戻される。尚、ここでは、第１循環ポンプ１８および第３循環ポンプ３８は、供給温度サーミスタ５３ａによって検出されたブラインの湯温が所定温度となるように回転数を制御される。
【００６４】
これにより、一次側回路３１に流通する流量が設定されるとともに、暖房用熱交換部３３内を流通するブラインの流量が設定される。ちなみに、供給温度サーミスタ５３ａによって検出されたブラインの湯温の所定温度は、床暖房ユニット６０Ａ、６０Ｂと暖房ユニット７０Ａ、７０Ｂとでは異なるように設定され、例えば、床暖房ユニット６０が運転しているときは、約６０℃程度であり、暖房ユニット７０のみが運転しているときは約８０℃程度にしてある。これは、床暖房に最適となる温度帯の湯温を超えないようにしたものである。
【００６５】
また、床暖房ユニット６０Ａに関し、給湯制御部４２は、出口湯温センサ５３ｃによって検出される床パネル６１ａの出口側湯温Ｔ１が、床暖房ユニット６０Ａに対して設定された第１設定温度Ｔ１ｔとなるように、熱動弁６２ａを開閉する開閉制御を行う。具体的には、給湯制御部４２は、上記出口側湯温Ｔ１が第１設定温度Ｔ１ｔよりも高くなったら熱動弁６２ａを閉弁し、それにより床パネル６１ａの加熱を抑える。逆に、上記出口側湯温Ｔ１が第１設定温度Ｔ１ｔよりも低くなったら熱動弁６２ａを開弁し、それにより床パネル６１ａの加熱を拡大する。なお、第１設定温度Ｔ１ｔは、暖房リモコン９０ａで設定される設定値であって、熱交換器としての配管６３ａに循環するブラインの目標温度である。
【００６６】
床暖房ユニット６０Ｂに関しても上記と同様であり、給湯制御部４２は、出口湯温センサ５３ｄによって検出される床パネル６１ｂの出口側湯温Ｔ２が、床暖房ユニット６０Ｂに対して設定された第２設定温度Ｔ２ｔとなるように、熱動弁６２ｂを開閉する開閉制御を行う。このときに、熱動弁６２ａ、６２ｂと暖房ユニット７０Ａ、７０Ｂの開閉弁７３ａ、７３ｂとの全てが閉弁のときは、ブラインがバイパス通路３６ａを流通するようにしている。これにより、貯湯タンク１０内の給湯用水を加熱元として、暖房用熱交換部３３を流通するブラインを加熱することで、床暖房ユニット６０Ａ、６０Ｂや暖房ユニット７０Ａ、７０Ｂを暖房の用途に供することができる。なお、第２設定温度Ｔ２ｔは、暖房リモコン９０ａで設定される設定値であって、熱交換器としての配管６３ｂに循環するブラインの目標温度である。
【００６７】
次に、図４のフローチャートに示す制御処理について説明する。図４は、暖房リモコン９０ａの暖房リモコン制御部９４（図３参照）が行う制御処理を示したフローチャートである。暖房リモコン制御部９４は、暖房リモコン９０ａの電源が投入されると、図４のフローチャートに示す制御処理を周期的に繰り返し実行する。
【００６８】
暖房リモコン制御部９４は、暖房リモコン９０ａの操作部９１２（図２参照）からの操作信号を逐次受け付けており、先ず、図４のステップＳ１０１（以下、「ステップ」を省略する）では、床暖房ユニット６０Ａ、６０Ｂ（図１参照）のタイマー運転を設定するタイマー設定操作が暖房リモコン９０ａの操作部９１２（図２参照）に対し使用者によって為されたか否かを判定する。例えば使用者は、予め定められた手順に従って各スイッチ９１ａ、９１ｂ、９１ｃ、９１ｄ、９２を押す操作を為すことによりタイマー設定操作を行う。
【００６９】
床暖房ユニット６０Ａ、６０Ｂのタイマー運転とは、床暖房ユニット６０Ａ、６０Ｂの運転開始時刻と運転停止時刻とで定義される運転時間帯が使用者によって予め設定され、その設定された運転時間帯に床暖房ユニット６０Ａ、６０Ｂを暖房運転させるものである。その運転開始時刻および運転停止時刻は何れも上記タイマー設定操作の中で設定される設定時刻であり、そのタイマー設定操作では、上記運転時間帯の中での設定温度Ｔ１ｔ、Ｔ２ｔも設定される。すなわち、床暖房ユニット６０Ａ、６０Ｂのタイマー運転とは、タイマー設定操作により設定された暖房スケジュールに沿って床暖房ユニット６０Ａ、６０Ｂを暖房運転させるものである。
【００７０】
なお、図２の表示パネル９３に表示から判るように、上記運転時間帯の中での設定温度Ｔ１ｔ、Ｔ２ｔは、所定の設定単位時間ＰＲＤ１で区切られた単位時間帯毎に異なる値に設定可能である。また、図２の暖房リモコン９０ａにおいては０時〜２４時の１日単位で床暖房ユニット６０Ａ、６０Ｂのタイマー運転を設定することができ、例えばそのタイマー運転が設定されると、給湯制御部４２はその設定内容である暖房スケジュールを毎日繰り返し実行する。また、図２の表示パネル９３に表示されているタイマ１は、床暖房ユニット６０Ａのタイマー運転の設定内容を意味しており、タイマ２は、床暖房ユニット６０Ｂのタイマー運転の設定内容を意味している。このことから判るように、床暖房ユニット６０Ａ、６０Ｂのタイマー運転は、一方の床暖房ユニット６０Ａと他方の床暖房ユニット６０Ｂとで独立に設定可能である。
【００７１】
以下の説明では、一方の床暖房ユニット６０Ａと他方の床暖房ユニット６０Ｂとを分けて説明する際には、一方の床暖房ユニット６０Ａを第１床暖房ユニット６０Ａと呼び、他方の床暖房ユニット６０Ｂを第２床暖房ユニット６０Ｂと呼ぶ。
【００７２】
図４に戻り、Ｓ１０１において、タイマー設定操作が操作部９１２に対して為されたと判定した場合には、Ｓ１０２へ進む。その一方で、タイマー設定操作が操作部９１２に対して為されていないと判定した場合には、本フローチャートは終了し再びＳ１０１から開始する。
【００７３】
Ｓ１０２においては、操作部９１２に対して為された上記タイマー設定操作の設定内容に基づき、予め定められた電気代マップから、床暖房ユニット６０Ａ、６０Ｂのタイマー運転を実行したときにかかる電気代の予測値すなわち電気代予測値を求める。電気代予測値とは、電気を消費する前に概算値として予め算出される概算電気代である。
【００７４】
上記電気代マップは、設定温度Ｔ１ｔ、Ｔ２ｔと運転時間帯とをパラメータとして電気代予測値を算出できるマップである。例えば、１日２４時間を設定単位時間ＰＲＤ１で区切られた単位時間帯毎に設定温度Ｔ１ｔ、Ｔ２ｔと電気代予測値との関係が予め実験的に定められており、その予め定められた関係の２４時間分が電気代マップを構成している。
【００７５】
詳細に説明すると、設定単位時間ＰＲＤ１が例えば２０分間であるとすれば、２４時間のうちの第１の単位時間帯は０時０分〜０時２０分であり、第２の単位時間帯は０時２０分〜０時４０分であり、第３の単位時間帯は０時４０分〜１時０分である。そして、設定温度Ｔ１ｔ、Ｔ２ｔと電気代予測値との関係がその第１、第２、第３…の単位時間帯毎に予め定められている。
【００７６】
そして、暖房リモコン制御部９４は、タイマー設定操作で設定された単位時間帯毎の設定温度Ｔ１ｔ、Ｔ２ｔに基づき、上記予め定められた関係で構成された電気代マップから、単位時間帯毎の電気代予測値すなわち単位電気代予測値を算出する。そして、上記運転時間帯は図２の例では０時〜２４時の１日間であるので、その算出した単位電気代予測値をその１日間にわたって積算し１日当たりの電気代予測値を算出する。暖房リモコン制御部９４は、この１日当たりの電気代予測値の算出を第１床暖房ユニット６０Ａと第２床暖房ユニット６０Ｂとのそれぞれについて行い、第１床暖房ユニット６０Ａのタイマー運転における１日当たりの電気代予測値と、第２床暖房ユニット６０Ｂのタイマー運転における１日当たりの電気代予測値とをそれぞれ算出する。更に、それらの１日当たりの電気代予測値を合計して、床暖房ユニット６０Ａ、６０Ｂ全体のタイマー運転における１日当たりの合計電気代予測値も算出する。Ｓ１０２の次はＳ１０３へ進む。
【００７７】
なお、上記設定温度Ｔ１ｔ、Ｔ２ｔと電気代予測値との予め定められた関係では、具体的には、設定温度Ｔ１ｔ、Ｔ２ｔが高いほど電気代予測値も大きい値になるように設定されている。また、電力会社が定める電気料率が電気の使用時間帯毎に異なることがあるので、電気代マップは、同じ設定温度Ｔ１ｔ、Ｔ２ｔに対して単位時間帯毎に異なる単位電気代予測値が算出されるように設定されていてもよい。
【００７８】
Ｓ１０３では、上記Ｓ１０２で算出された各床暖房ユニット６０Ａ、６０Ｂのタイマー運転における１日当たりの電気代予測値と合計電気代予測値とを表示パネル９３に表示させる。それと共に、設定温度Ｔ１ｔ、Ｔ２ｔを時系列に沿って示す棒グラフを用いて、各床暖房ユニット６０Ａ、６０Ｂに関するタイマー設定操作の設定内容をそれぞれ表示パネル９３に表示させる。
【００７９】
そのときの表示パネル９３の表示を具体的に説明すると、表示パネル９３の表示画面は、上から順に並んだ第１表示領域９３１と第２表示領域９３２と第３表示領域９３３とに分かれている。また、第２表示領域９３２は上側に位置する第２上側表示領域９３２ａと下側に位置する第２下側表示領域９３２ｂとに分かれ、第３表示領域９３３は上側に位置する第３上側表示領域９３３ａと下側に位置する第３下側表示領域９３３ｂとに分かれている。
【００８０】
そして、暖房リモコン制御部９４は、上記Ｓ１０２で算出された合計電気代予測値を第１表示領域９３１内に表示させ、第１床暖房ユニット６０Ａのタイマー運転に関する情報を第２表示領域９３２内に表示させ、第２床暖房ユニット６０Ｂのタイマー運転に関する情報を第３表示領域９３３内に表示させる。
【００８１】
更に第２、第３表示領域９３２、９３３内の表示に関して詳述すると、暖房リモコン制御部９４は、上記Ｓ１０２で算出された第１床暖房ユニット６０Ａのタイマー運転における１日当たりの電気代予測値を第２上側表示領域９３２ａ内に表示させる。それと共に、第１床暖房ユニット６０Ａのタイマー運転の暖房スケジュール、すなわち第１床暖房ユニット６０Ａに関するタイマー設定操作の設定内容を、第１設定温度Ｔ１ｔを時系列に沿って示す棒グラフにより第２下側表示領域９３２ｂ内に表示させる。第２下側表示領域９３２ｂでは、縦軸が第１設定温度Ｔ１ｔを示し横軸が時刻を示している。
【００８２】
そして、暖房リモコン制御部９４は、第２床暖房ユニット６０Ｂのタイマー運転の暖房スケジュール、すなわち第２床暖房ユニット６０Ｂに関するタイマー設定操作の設定内容を、第２設定温度Ｔ２ｔを時系列に沿って示す棒グラフにより第３上側表示領域９３３ａ内に表示させる。それと共に、上記Ｓ１０２で算出された第２床暖房ユニット６０Ｂのタイマー運転における１日当たりの電気代予測値を第３下側表示領域９３３ｂ内に表示させる。第３上側表示領域９３３ａでは、縦軸が第２設定温度Ｔ２ｔを示し横軸が時刻を示している。
【００８３】
なお、上述した図４の各ステップでの処理は、それぞれの機能を実現する手段を構成している。また、図４のＳ１０１およびＳ１０２は本発明の電気代予測手段に対応し、Ｓ１０３は本発明の表示制御手段に対応する。
【００８４】
上述したように、本実施形態によれば、床暖房ユニット６０Ａ、６０Ｂのタイマー設定操作が操作部９１２に対して為された場合に、床暖房ユニット６０Ａ、６０Ｂのタイマー運転を実行したときにかかる電気代の予測値がそのタイマー設定操作の設定内容に基づいて求められ、その求められた電気代の予測値が、図２に示すように表示パネル９３に表示される。従って、タイマー運転の実行前であるタイマー運転の設定時に、床暖房ユニット６０Ａ、６０Ｂのタイマー運転が実行されたときにかかる電気代を使用者に認識させることができる。これにより、使用者は、電気代を節約するように好みの床暖房を実行するタイマー運転を容易に設定することが可能である。
【００８５】
また、本実施形態によれば、表示パネル９３には、床暖房ユニット６０Ａ、６０Ｂのそれぞれについてタイマー運転の電気代予測値が表示されると共に、タイマー設定操作の設定内容が、設定温度Ｔ１ｔ、Ｔ２ｔを時系列に沿って示す棒グラフで表示される。そのため、複数のタイマー設定操作の設定内容を、タイマー運転の電気代予測値と共に表示パネル９３の狭い表示範囲に同時に解り易く表示させることが可能である。
【００８６】
また、本実施形態によれば、タイマー設定操作において設定温度Ｔ１ｔ、Ｔ２ｔは、タイマー運転の運転時間帯に含まれる単位時間帯毎に設定され、その単位時間帯毎の単位電気代予測値が、単位時間帯毎に設定された設定温度Ｔ１ｔ、Ｔ２ｔに基づいて電気代マップから算出される。そして、上記運転時間帯全体にわたる電気代予測値は、その算出された単位電気代予測値を運転時間帯全体にわたって積算することによって求められる。従って、ユーザは、床暖房ユニット６０Ａ、６０Ｂのタイマー運転を自らの好みに合わせて詳細に設定することが可能である。
【００８７】
（第２実施形態）
次に、本発明の第２実施形態について説明する。本実施形態では、前述の第１実施形態と異なる点を主として説明し、第１実施形態と同一または均等な部分については省略または簡略化して説明する。
【００８８】
本実施形態は、床暖房ユニット６０Ａ、６０Ｂのタイマー運転の暖房スケジュールが予め設定されている複数の床暖房パターンの中から選択されることで設定されるという点が、前述の第１実施形態と異なっている。
【００８９】
図５は、本実施形態の暖房リモコン９０ａのブロック図であり、第１実施形態の図３に相当する。図５に示すように、本実施形態の暖房リモコン９０ａは第１実施形態のものとは異なり、記憶部９６を備えている。この記憶部９６はフラッシュメモリまたはハードディスク装置等から成り、記憶部９６には、床暖房ユニット６０Ａ、６０Ｂに床暖房を行わせる複数の床暖房パターンが予め記憶されている。この複数の床暖房パターンは例えば貯湯式給湯装置８の工場出荷当初から設定済みのものであるが、使用者は新たな床暖房パターンを自ら設定し記憶部９６に追加して記憶させることができる。
【００９０】
上記複数の床暖房パターンは互いに異なるものであり、例えば０時から２４時までの１日間にわたる床暖房ユニット６０Ａ、６０Ｂの暖房スケジュールを定めたものである。詳細に言えば、０時から２４時までの時系列に沿って床暖房ユニット６０Ａ、６０Ｂの設定温度Ｔ１ｔ、Ｔ２ｔを定めたものである。
【００９１】
複数の床暖房パターンの中の一例としては、表示パネル９３の表示例を表す図６に示すように、おすすめパターンや節約パターンなどがある。このおすすめパターンおよび節約パターン以外にも多数の床暖房パターンが記憶部９６に記憶されている。
【００９２】
また、記憶部９６には、図７に示す電気代対応表ＭＡＰｐｔｎも予め記憶されている。この電気代対応表ＭＡＰｐｔｎは、複数の床暖房パターンの各々と、床暖房ユニット６０Ａ、６０Ｂがその床暖房パターンに従って運転されたときにかかると予測される電気代であるパターン運転電気代とを関連付ける予め定められた関係である。そのパターン運転電気代は、床暖房パターンにおいて時系列に沿って定められた床暖房ユニット６０Ａ、６０Ｂの設定温度Ｔ１ｔ、Ｔ２ｔに基づき、第１実施形態と同様に電気代マップから算出された概算電気代である。
【００９３】
次に、本実施形態の暖房リモコン制御部９４が行う制御処理について説明する。その暖房リモコン制御部９４は、第１実施形態と同様に図４のフローチャートに従った制御処理を行うが、第１実施形態と異なる点について以下に説明する。
【００９４】
Ｓ１０１では、第１実施形態と同様に、タイマー設定操作が暖房リモコン９０ａの操作部９１２（図２参照）に対し使用者によって為されたか否かを判定する。但し、本実施形態において上記タイマー設定操作は、記憶部９６に記憶されている複数の床暖房パターンの中の何れかを選択すると共にその選択された床暖房パターンで床暖房ユニット６０Ａ、６０Ｂのタイマー運転を設定する設定操作である。そのタイマー設定操作では、第１床暖房ユニット６０Ａと第２床暖房ユニット６０Ｂとの各々で独立に床暖房パターンを選択することができる。
【００９５】
Ｓ１０２では、タイマー設定操作の設定内容に基づき、具体的にはそのタイマー設定操作で選択された床暖房パターンに基づき、その選択された床暖房パターンに関連付けられているパターン運転電気代を、図７の電気代対応表ＭＡＰｐｔｎから取得する。そして、その取得したパターン運転電気代を、床暖房ユニット６０Ａ、６０Ｂのタイマー運転を実行したときにかかる電気代の予測値として求める。例えばその電気代の予測値は、上記選択された床暖房パターンが節約パターンであれば、図７から判るように、５０円／日となる。
【００９６】
Ｓ１０３では、第１実施形態と同様に、上記Ｓ１０２で算出された１日当たりの電気代予測値と合計電気代予測値とを表示パネル９３に表示させる。それと共に、棒グラフを用いて、各床暖房ユニット６０Ａ、６０Ｂに関するタイマー設定操作の設定内容をそれぞれ表示パネル９３に表示させる。更に、タイマー設定操作で選択された床暖房パターンの名称も表示パネル９３に表示させる。
【００９７】
図６の例では、第１床暖房ユニット６０Ａに関するタイマー設定操作で選択された床暖房パターンはおすすめパターンであり、表示パネル９３の第２上側表示領域９３２ａ内に、おすすめパターンと表示されている。また、第２床暖房ユニット６０Ｂに関するタイマー設定操作で選択された床暖房パターンは節約パターンであり、表示パネル９３の第３下側表示領域９３３ｂ内に、節約パターンと表示されている。
【００９８】
本実施形態によれば、床暖房ユニット６０Ａ、６０Ｂのタイマー運転の設定操作時において表示パネル９３には第１実施形態と同様の内容が表示されるので、それによる第１実施形態と同様の効果を得ることができる。
【００９９】
また、本実施形態によれば、使用者は、記憶部９６に記憶されている複数の床暖房パターンの中の何れかを選択すると共にその選択された床暖房パターンで床暖房ユニット６０Ａ、６０Ｂのタイマー運転を設定することができる。そのため、タイマー設定操作を簡便に行うことができる。
【０１００】
また、暖房リモコン９０ａに対し、使用者は新たな床暖房パターンを自ら設定し記憶部９６に追加して記憶させることができるので、停電の後または暖房リモコン９０ａの電源を長期間にわたって遮断した後に床暖房ユニット６０Ａ、６０Ｂのタイマー運転を設定する際、使用者が床暖房パターンを再設定しなくてもよい。
【０１０１】
また、本実施形態によれば、床暖房ユニット６０Ａ、６０Ｂのタイマー設定操作が操作部９１２に対して為された場合に、暖房リモコン９０ａの暖房リモコン制御部９４は、そのタイマー設定操作で選択された床暖房パターンに基づき、その選択された床暖房パターンに電気代対応表ＭＡＰｐｔｎ（図７参照）で関連付けられているパターン運転電気代を、床暖房ユニット６０Ａ、６０Ｂのタイマー運転を実行したときにかかる電気代の予測値として求める。従って、その電気代の予測値を求める制御負荷を抑えることができる。
【０１０２】
（他の実施形態）
（１）上述の第１実施形態では、図４のＳ１０２で用いられる電気代マップは、設定温度Ｔ１ｔ、Ｔ２ｔと電気代予測値との単位時間帯毎に予め定められた関係の２４時間分をまとめたものであるが、それ以外の構成であっても差し支えない。例えば、電気代マップは、設定温度Ｔ１ｔ、Ｔ２ｔと床暖房ユニット６０Ａ、６０Ｂの暖房運転が継続される暖房運転時間と電気代予測値との予め実験的に定められた関係であってもよい。そのような電気代マップでは、暖房運転時間が長くなるほど電気代予測値が大きい値となり、設定温度Ｔ１ｔ、Ｔ２ｔが高くなるほど電気代予測値が大きい値となる。そして、その電気代マップを用いて、暖房リモコン制御部９４は、タイマー設定操作の設定内容から各設定温度Ｔ１ｔ、Ｔ２ｔでの延べ暖房運転時間を算出し、設定温度Ｔ１ｔ、Ｔ２ｔ毎に延べ暖房運転時間に基づいて電気代マップから電気代予測値を算出する。そして、設定温度Ｔ１ｔ、Ｔ２ｔ毎の電気代予測値を積算して１日当たりの電気代予測値を算出する。
【０１０３】
（２）上述の第１実施形態では、図４のＳ１０２にて電気代マップから求められる電気代予測値は、貯湯タンク１０の貯えられている温水の消費量に応じて増減されるものではないが、その温水の消費量に応じて増減されてもよい。そのようにしたとすれば、タイマー設定操作の設定内容が同じ場合、電気代予測値は温水の消費量が多いほど大きい値とされる。温水の消費量が多いほどヒートポンプ熱源機２０が給湯用水を加熱する頻度が高まることに起因して、実際の電気代が嵩む傾向にあるからである。このことは第２実施形態でも同様であり、電気代対応表ＭＡＰｐｔｎを構成するパターン運転電気代は温水の消費量が多いほど大きい値とされる。
【０１０４】
（３）上述の各実施形態において、貯湯式給湯装置８の暖房リモコン９０ａは暖房装置６０Ａ、６０Ｂ、７０Ａ、７０Ｂを動作させるための操作装置であるが、他の機能を備えていても構わない。例えば、暖房リモコン９０ａは、家庭の電力等のエネルギマネジメント機能を備えたＨＥＭＳ（home energy management system）に、暖房装置６０Ａ、６０Ｂ、７０Ａ、７０Ｂを操作するための暖房装置用のリモコン機能が付加されたものであってもよい。
【０１０５】
（４）上述の各実施形態において、熱源制御部４１と給湯制御部４２と暖房リモコン制御部９４とは各々別個の制御装置として構成されているが、それらの何れか２つ又は全部が一体として１つの制御装置を構成していても差し支えない。
【０１０６】
（５）上述の各実施形態において、図４のフローチャートに示す各ステップの処理はコンピュータプログラムによって実現されるものであるが、ハードロジックで構成されるものであっても差し支えない。
【０１０７】
（６）上述の各実施形態において、図２および図６ではタイマー設定操作の設定内容は棒グラフで表示パネル９３に表示されているが、そのグラフの形式には特に限定はなく、タイマー設定操作の設定内容は、例えば面グラフまたは折れ線グラフで表示されても差し支えない。
【０１０８】
なお、本発明は上記した実施形態に限定されるものではなく、特許請求の範囲に記載した範囲内において適宜変更が可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【符号の説明】
【０１０９】
４２        給湯制御部（床暖房装置）
６０Ａ      第１床暖房ユニット（床暖房装置）
６０Ｂ      第２床暖房ユニット（床暖房装置）
９０ａ      暖房リモコン（床暖房用表示装置）
９１２      操作部
９３        表示パネル（表示部）
【図１】
2015094569.tif 000003
【図２】
2015094569.tif 000004
【図３】
2015094569.tif 000005
【図４】
2015094569.tif 000006
【図５】
2015094569.tif 000007
【図６】
2015094569.tif 000008
【図７】
2015094569.tif 000009